【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
中心軸（Ｃ１）周りに回転する円筒状のシリンダ（２１）と、
前記シリンダ（２１）の内部に配置されて、前記シリンダ（２１）の中心軸（Ｃ１）に対して偏心した偏心軸（Ｃ２）周りに回転する円筒状の第１ロータ（２２ａ）および第２ロータ（２２ｂ）と、
前記第１ロータ（２２ａ）および前記第２ロータ（２２ｂ）を回転可能に支持するシャフト（２４）と、
前記第１ロータ（２２ａ）に形成された第１溝部（２２２ａ）に摺動可能に嵌め込まれて、前記第１ロータ（２２ａ）の外周面と前記シリンダ（２１）の内周面との間に形成される第１圧縮室（Ｖａ）を仕切る第１ベーン（２３ａ）と、
前記第２ロータ（２２ｂ）に形成された第２溝部（２２２ｂ）に摺動可能に嵌め込まれて、前記第２ロータ（２２ｂ）の外周面と前記シリンダ（２１）の内周面との間に形成される第２圧縮室（Ｖｂ）を仕切る第２ベーン（２３ｂ）と、を備え、
前記第１ロータ（２２ａ）および前記第２ロータ（２２ｂ）は、前記シリンダ（２１）の中心軸（Ｃ１）方向に並んで配置されており、
前記シャフト（２４）の内部には、外部から吸入された圧縮対象流体を前記第１圧縮室（Ｖａ）および前記第２圧縮室（Ｖｂ）へ導くためのシャフト側吸入通路（２４ｄ）が形成され、
前記シャフト（２４）の外周面には、前記シャフト側吸入通路（２４ｄ）を流通する圧縮対象流体を前記第１圧縮室（Ｖａ）へ流出させる第１シャフト側出口穴（２４０ａ）と、前記シャフト側吸入通路（２４ｄ）を流通する圧縮対象流体を前記第２圧縮室（Ｖｂ）へ流出させる第２シャフト側出口穴（２４０ｂ）が形成されており、
前記第１圧縮室（Ｖａ）と前記第２圧縮室（Ｖｂ）は、前記圧縮対象流体の流れに対して並列に接続されていることを特徴とするシリンダ回転型圧縮機。
【請求項２】
前記第１ロータ（２２ａ）の偏心軸および前記第２ロータ（２２ｂ）の偏心軸は、同軸上に配置されていることを特徴とする請求項１に記載のシリンダ回転型圧縮機。
【請求項３】
前記第１圧縮室（Ｖａ）内の流体圧力が最大圧力に到達する前記シリンダ（２１）の回転角（θ）と前記第２圧縮室（Ｖｂ）内の流体圧力が最大圧力に到達する前記シリンダ（２１）の回転角（θ）が、１８０°ずれていることを特徴とする請求項１または２に記載のシリンダ回転型圧縮機。
【請求項４】
前記第１ロータ（２２ａ）および前記第２ロータ（２２ｂ）には、それぞれ前記シャフト（２４）の軸方向に延びて、摺動部位を潤滑する潤滑油を流通させる第１オイル通路（２２５ａ）および第２オイル通路（２２５ｂ）が形成されていることを特徴とする請求項１ないし３のいずれか１つに記載のシリンダ回転型圧縮機。
【請求項５】
前記第１ロータ（２２ａ）および前記第２ロータ（２２ｂ）が前記シリンダ（２１）と同期回転するように、前記シリンダ（２１）から前記第１ロータ（２２ａ）および前記第２ロータ（２２ｂ）へ回転駆動力を伝達する伝動機構（２５１ｃ、２２１ａ）と、
前記第１ロータ（２２ａ）と前記第２ロータ（２２ｂ）との間に配置されて前記第１圧縮室（Ｖａ）と前記第２圧縮室（Ｖｂ）とを仕切るとともに、前記シリンダ（２１）とともに回転する中間サイドプレート（２５ｃ）と、を備え、
前記伝動機構は、前記中間サイドプレート（２５ｃ）から前記第１ロータ（２２ａ）側および前記第２ロータ（２２ｂ）側へ中心軸方向に突出する駆動ピン（２５１ｃ）、並びに、それぞれ前記第１ロータ（２２ａ）および前記第２ロータ（２２ｂ）に形成されて前記駆動ピン（２５１ｃ）が嵌め込まれる第１穴部（２２１ａ）および第２穴部によって構成されていることを特徴とする請求項１ないし４のいずれか１つに記載のシリンダ回転型圧縮機。
【請求項６】
前記第１、第２穴部（２２１ａ）には、前記駆動ピン（２５１ｃ）が接触する外周側壁面の摩耗を抑制するためのリング部材（２２３ａ）が嵌め込まれていることを特徴とする請求項５に記載のシリンダ回転型圧縮機。
【請求項７】
前記第１ロータ（２２ａ）には、前記偏心軸（Ｃ２）の軸方向に延びて、摺動部位を潤滑する潤滑油を流通させる第１オイル通路（２２５ａ）が形成されており、
前記第１穴部（２２１ａ）は、前記第１オイル通路（２２５ａ）の軸方向端部に形成されており、
前記第２ロータ（２２ｂ）には、前記偏心軸（Ｃ２）の軸方向に延びて、摺動部位を潤滑する潤滑油を流通させる第２オイル通路（２２５ｂ）が形成されており、
前記第２穴部は、前記第２オイル通路（２２５ｂ）の軸方向端部に形成されていることを特徴とする請求項５または６に記載のシリンダ回転型圧縮機。
【請求項８】
前記シリンダ（２１）の軸方向一端側に固定されて、前記中間サイドプレート（２５ｃ）とともに前記第１圧縮室（Ｖａ）を仕切る第１サイドプレート（２５ａ）と、
前記シリンダ（２１）の軸方向他端側に固定されて、前記中間サイドプレート（２５ｃ）とともに前記第２圧縮室（Ｖｂ）を仕切る第２サイドプレート（２５ｂ）と、を備え、
前記第１ロータ（２２ａ）には、前記第１圧縮室（Ｖａ）へ圧縮対象流体を流入させる第１ロータ側吸入通路（２２４ａ）が形成され、
前記第１サイドプレート（２５ａ）には、前記第１圧縮室（Ｖａ）から圧縮対象流体を流出させる第１吐出穴（２５１ａ）が形成され、
前記第２ロータ（２２ｂ）には、前記第２圧縮室（Ｖｂ）へ圧縮対象流体を流入させる第２ロータ側吸入通路（２２４ｂ）が形成され、
前記第２サイドプレート（２５ｂ）には、前記第２圧縮室（Ｖｂ）から圧縮対象流体を流出させる第２吐出穴（２５１ｂ）が形成されていることを特徴とする請求項１ないし７のいずれか１つに記載のシリンダ回転型圧縮機。
【請求項９】
前記シリンダ（２１）を回転させる電動機部（３０）を備え、
前記シリンダ（２１）は、前記電動機部（３０）の回転子と一体的に形成されており、
前記電動機部（３０）の固定子は、前記シリンダ（２１）の外周側に配置されていることを特徴とする請求項１ないし８のいずれか１つに記載のシリンダ回転型圧縮機。
【手続補正２】
【補正対象書類名】明細書
【補正対象項目名】０００９
【補正方法】変更
【補正の内容】
【０００９】
本発明は、上記目的を達成するために案出されたもので、請求項１に記載の発明では、中心軸（Ｃ１）周りに回転する円筒状のシリンダ（２１）と、シリンダ（２１）の内部に配置されて、シリンダ（２１）の中心軸（Ｃ１）に対して偏心した偏心軸（Ｃ２）周りに回転する円筒状の第１ロータ（２２ａ）および第２ロータ（２２ｂ）と、第１ロータ（２２ａ）および第２ロータ（２２ｂ）を回転可能に支持するシャフト（２４）と、第１ロータ（２２ａ）に形成された第１溝部（２２２ａ）に摺動可能に嵌め込まれて、第１ロータ（２２ａ）の外周面とシリンダ（２１）の内周面との間に形成される第１圧縮室（Ｖａ）を仕切る第１ベーン（２３ａ）と、第２ロータ（２２ｂ）に形成された第２溝部（２２２ｂ）に摺動可能に嵌め込まれて、第２ロータ（２２ｂ）の外周面とシリンダ（２１）の内周面との間に形成される第２圧縮室（Ｖｂ）を仕切る第２ベーン（２３ｂ）と、を備え、
第１ロータ（２２ａ）および第２ロータ（２２ｂ）は、シリンダ（２１）の中心軸（Ｃ１）方向に並んで配置されており、
前記シャフト（２４）の内部には、外部から吸入された圧縮対象流体を前記第１圧縮室（Ｖａ）および前記第２圧縮室（Ｖｂ）へ導くためのシャフト側吸入通路（２４ｄ）が形成され、
前記シャフト（２４）の外周面には、前記シャフト側吸入通路（２４ｄ）を流通する圧縮対象流体を前記第１圧縮室（Ｖａ）へ流出させる第１シャフト側出口穴（２４０ａ）と、前記シャフト側吸入通路（２４ｄ）を流通する圧縮対象流体を前記第２圧縮室（Ｖｂ）へ流出させる第２シャフト側出口穴（２４０ｂ）が形成されており、
前記第１圧縮室（Ｖａ）と前記第２圧縮室（Ｖｂ）は、前記圧縮対象流体の流れに対して並列に接続されているシリンダ回転型圧縮機を特徴とする。